(57)【要約】      （修正有）【課題】駅に設けられている所定のボタンが非常停止ボタンであることを駅の利用者に確実に伝達可能な非常停止ボタン案内表示体を提供する。【解決手段】非常停止ボタンの近傍に配置される非常停止ボタン案内表示体１であって、矩形の本体５と、本体５の最上段に配置され、ボタンが非常停止ボタンであることを案内する第１表示部１０と、本体５における第１表示部１０の下方に配置され、ボタンが非常停止ボタンであること複数の言語で文字表示する第２表示部２０と、本体５における第２表示部２０の下方に配置され、非常停止ボタンの機能を文字表示する第３表示部３０と、を備え、第１表示部１０は、下地が白色であって、「ＳＴＯＰ」の文字表示部１２と、第１ピクトグラム１４及び第２ピクトグラム１６と、これらを囲う、斜線による枠体表示部１８と、を有している。【選択図】図２
0003200208.tif 000002
【実用新案登録請求の範囲】
【請求項１】
駅に設けられ、押下することによって列車非常停止警報装置を作動させる非常停止ボタンの近傍に配置される非常停止ボタン案内表示体であって、
矩形の本体と、
当該本体の最上段に配置され、当該本体の近傍にあるボタンが非常停止ボタンであることを案内する第１表示部と、
前記本体における前記第１表示部の下方に配置され、前記本体の近傍にあるボタンが非常停止ボタンであること複数の言語で文字表示する第２表示部と、
前記本体における前記第２表示部の下方に配置され、非常停止ボタンの機能を文字表示する第３表示部と、を備え、
前記本体は、横幅が２５０ｍｍ以上３５０ｍｍ以下、縦幅が５００ｍｍ以上８００ｍｍ以下であり、
前記第１表示部は、横幅２００ｍｍ以上３００ｍｍ以下、縦幅２００ｍｍ以上３００ｍｍ以下の正方形領域に形成され、下地が白色であって、「ＳＴＯＰ」の文字表示と、「ＳＴＯＰ」の文字表示の下に並べて配置された、電車を示す第１ピクトグラム及び押しボタンを指で押下する態様を示す第２ピクトグラムと、前記文字表示、前記第１ピクトグラム及び前記第２ピクトグラムを囲う、斜線による枠体表示と、を有し、
前記第２表示部は、日本語で表示される日本語文字表示部と、英語で表示される英語文字表示部と、韓国語で表示される韓国語文字表示部と、中国語で表示される中国語文字表示部とを有し、
前記日本語文字表示部の文字列の縦幅は、４０ｍｍ以上７０ｍｍ以下であり、
前記英語文字表示部は、２行の文字列を有し、当該文字列の１行の縦幅は、２０ｍｍ以上４０ｍｍ以下であり、
前記韓国語文字表示部及び前記中国語文字表示部の文字列の縦幅は、２０ｍｍ以上４０ｍｍ以下であり、
前記第３表示部は、前記第１表示部の下地色とは異なる色の矩形形状の文字強調領域を有し、この文字強調領域に、非常停止ボタンの機能を説明する文字列が形成され、当該文字列における１行の縦幅が２５ｍｍ以上３５ｍｍ以下であり、
前記第１表示部、前記第２表示部及び前記第３表示部に含まれる文字の書体はゴシック体であることを特徴とする非常停止ボタン案内表示体。
【請求項２】
前記本体の最下段に前記第１表示部の下方に配置され、前記第３表示部の側方に前記非常停止ボタンの位置を指す矢印を表示する第４表示部を更に備えることを特徴とする請求項１記載の非常停止ボタン案内表示体。
【考案の詳細な説明】
【技術分野】
【０００１】
本考案は、押下することによって列車非常停止警報装置を作動させる非常停止ボタンの近傍に配置され、このボタンが非常停止ボタンであることを駅の利用者に案内する非常停止ボタン案内表示体に関する。
【背景技術】
【０００２】
従来より、ピクトグラムを用いて、文章を使用しなくても情報を伝達することが行われている。ピクトグラムの代表例としては、非常口の近くあるいは非常口に向かう経路に配置される、人が外に出て行く態様を図柄化した非常口サインが一般に知られている（特許文献１参照）
【０００３】
しかし、ピクトグラムだけでは、人に対して十分に情報が伝達できない場合がある。このような場合には、文字情報を追記して不足分の情報を補っている。例えば、非特許文献１に記載された非常停止ボタンの周辺デザインにおいては、ピクトグラムを視認することにより、「このボタンを押せば電車が停止する」という内容は伝達される。更に、「非常停止ボタン」という文字情報を追加することにより、駅の利用者に緊急時以外は押してはいけないボタンである、ということを意識させている。また、日本語が読めない外国人による誤った操作を防止するため、外国語による文字情報を並記している。
【先行技術文献】
【特許文献】
【０００４】
【特許文献１】特開２０１０−１４６８１５号公報
【非特許文献】
【０００５】
【非特許文献１】東京臨海高速鉄道株式会社ホームページ、“インフォメーション一覧２０１２年、列車非常停止ボタンの周辺デザインを変更しました”、［online］、［平成２７年６月２６日検索］、インターネット＜URL：http://www.twr.co.jp/info/2012/emergency_button.html＞
【考案の概要】
【考案が解決しようとする課題】
【０００６】
しかし、非特許文献１の非常停止ボタンの周辺デザインにおいては、ピクトグラム自体に「緊急時以外は押さない」というニュアンスまで含められていないため、例えば、「非常停止ボタン」という文字情報が読み取れない者に対しては、「緊急時以外は押してはいけないボタンである」、という旨を伝達することができない可能性が依然として残る。
【０００７】
ここで、非特許文献１の非常停止ボタンの周辺デザインにおいては、ピクトグラム及び文字情報を表示する矩形領域の周囲が、赤い斜線で表示されている。一般的に、斜線が付いた表示には、禁止や規制を意味するものが多く、例えば、道路に標示されているゼブラゾーンは、車両を案内するものであって、むやみに走行できない領域であることが知られている。
【０００８】
しかし、非特許文献１の非常停止ボタンの周辺デザインにおいては、ピクトグラム及び文字情報を表示する矩形領域の周囲が赤い斜線で囲まれていることから、この赤い斜線は、ピクトグラム及び文字情報を目立たせるためのものであって、緊急時以外は押してはいけないボタンであるというニュアンスまで駅の利用者に伝達できない場合がある。
【０００９】
また、非特許文献１の非常停止ボタンの周辺デザインにおいては、赤い斜線が目立ち過ぎて、逆にピクトグラムが目立ちにくくなり、結果として、ピクトグラムの近くに配置されているボタンが列車非常停止ボタンであることを駅の利用者に伝達できていない場合もあり得る。
【００１０】
本考案は、このような問題点を解決し、非常停止ボタンの機能と緊急時に使用するボタンである旨を駅の利用者により確実に伝達できる非常停止ボタン案内表示体を提供することを目的とする。
【課題を解決するための手段】
【００１１】
前記目的を達成するため、本考案は、次に記載する構成を備えている。
【００１２】
（１）  駅に設けられ、押下することによって列車非常停止警報装置を作動させる非常停止ボタンの近傍に配置される非常停止ボタン案内表示体であって、矩形の本体と、当該本体の最上段に配置され、当該本体の近傍にあるボタンが非常停止ボタンであることを案内する第１表示部と、前記本体における前記第１表示部の下方に配置され、前記本体の近傍にあるボタンが非常停止ボタンであること複数の言語で文字表示する第２表示部と、前記本体における前記第２表示部の下方に配置され、非常停止ボタンの機能を文字表示する第３表示部と、を備え、前記本体は、横幅が２５０ｍｍ以上３５０ｍｍ以下、縦幅が５００ｍｍ以上８００ｍｍ以下であり、前記第１表示部は、横幅２００ｍｍ以上３００ｍｍ以下、縦幅２００ｍｍ以上３００ｍｍ以下の正方形領域に形成され、下地が白色であって、「ＳＴＯＰ」の文字表示と、「ＳＴＯＰ」の文字表示の下に並べて配置された、電車を示す第１ピクトグラム及び押しボタンを指で押下する態様を示す第２ピクトグラムと、前記文字表示、前記第１ピクトグラム及び前記第２ピクトグラムを囲う、斜線による枠体表示と、を有し、前記第２表示部は、日本語で表示される日本語文字表示部と、英語で表示される英語文字表示部と、韓国語で表示される韓国語文字表示部と、中国語で表示される中国語文字表示部とを有し、前記日本語文字表示部の文字列の縦幅は、４０ｍｍ以上７０ｍｍ以下であり、前記英語文字表示部は、２行の文字列を有し、当該文字列の１行の縦幅は、２０ｍｍ以上４０ｍｍ以下であり、前記韓国語文字表示部及び前記中国語文字表示部の文字列の縦幅は、２０ｍｍ以上４０ｍｍ以下であり、前記第３表示部は、前記第１表示部の下地色とは異なる色の矩形形状の文字強調領域を有し、この文字強調領域に、非常停止ボタンの機能を説明する文字列が形成され、当該文字列における１行の縦幅が２５ｍｍ以上３５ｍｍ以下であり、前記第１表示部、前記第２表示部及び前記第３表示部に含まれる文字の書体はゴシック体であることを特徴とする非常停止ボタン案内表示体。
【００１３】
（２）  （１）において、前記本体の最下段に前記第１表示部の下方に配置され、前記第３表示部の側方に前記非常停止ボタンの位置を指す矢印を表示する第４表示部を更に備えることを特徴とする非常停止ボタン案内表示体。
【００１４】
（１）、（２）によれば、斜線による枠体表示によって、文字表示、第１ピクトグラム及び第２ピクトグラムが囲まれているため、枠体表示、文字表示、第１ピクトグラム及び第２ピクトグラムによって１つの情報表示体が形成されていることを駅の利用者に認識させることが可能になる。このため、文字表示、第１ピクトグラム及び第２ピクトグラムによって「このボタンを押せば電車が停止する」という内容が伝達することができる。しかも、斜線の枠体表示によって「緊急時以外は押してはいけない」という内容が伝達できるようになる。これにより、駅の利用者は、第１表示部を視認することによって、非常停止ボタンの機能及び緊急時に使用するボタンである旨を容易に類推することが可能になる。
【００１５】
また、第１表示部の下方に第２表示部が配置され、この第２表示部により、非常停止ボタンである旨が複数の言語で文字表示されるため、これらの言語のいずれかの言語が分かる駅の利用者であれば、本体近傍のボタンが非常停止ボタンであることを確実に伝達できる。
【００１６】
また、第２表示部の下方に第３表示部が配置されており、この第３表示部の文字強調領域は、周囲とは異なる色で表示されているため、比較的目立つようになる。ここで、非常停止ボタン案内表示体が非常停止ボタンの直上に配置された場合には、第３表示部の近くに非常停止ボタンが位置付けられるため、非常停止ボタンを見つけることが容易に可能になる。
【００１７】
特に（２）によれば、比較的目立っている第３表示部の側方に、非常停止ボタンの位置を指す矢印を表示する第４表示部が配置されているため、非常停止ボタンを見つけることが容易に可能になる。
【考案の効果】
【００１８】
本考案によれば、駅にある所定のボタンが非常停止ボタンであること及び非常停止ボタンの機能を駅の利用者により確実に伝達できる非常停止ボタン案内表示体を提供することが可能になる。
【図面の簡単な説明】
【００１９】
【図１】本考案の一実施形態における非常停止ボタン案内表示体の使用状況を示す説明図である。
【図２】本考案の一実施形態における非常停止ボタン案内表示体の外観を示す正面図である。
【図３】本考案の他の実施形態における非常停止ボタン案内表示体の外観を示す正面図である。
【考案を実施するための形態】
【００２０】
以下、本考案の一実施形態について図面を参照しながら詳細に説明する。
【００２１】
図１は、本考案の一実施形態における非常停止ボタン案内表示体１の使用状況を示す説明図、図２は、本考案の一実施形態における非常停止ボタン案内表示体１の外観を示す正面図である。
【００２２】
非常停止ボタン案内表示体１は、図１に示すように、駅のホームの柱や壁等に設置されている非常停止ボタン１００の近傍に配置されている。非常停止ボタン案内表示体１は、駅の利用者に、近傍にある所定のボタンが非常停止ボタンであることを案内するものであり、駅の利用者は、非常停止ボタン案内表示体１を視認することにより、非常停止ボタン１００がある場所を容易に把握することが可能になる。
【００２３】
非常停止ボタン案内表示体１は、図２に示すように、板材あるいはシート材からなる本体５に、印刷等によって第１表示部１０と、第２表示部２０と、第３表示部３０、第４表示部４０とを形成してなるものである。本体５には、長手方向に沿って第１表示部１０、第２表示部２０及び第３表示部３０と第４表示部４０の順に形成されている。非常停止ボタン案内表示体１が駅のホームの柱や壁等に設置された場合に、最上段に第１表示部１０が配置され、中段に第２表示部２０が配置され、最下段に第３表示部３０及び第４表示部４０が配置される。
【００２４】
本体５は、横幅が２５０ｍｍ以上３５０ｍｍ以下で、縦幅が５００ｍｍ以上８００ｍｍ以下の矩形形状である。本実施形態においては、横幅が３００ｍｍであり、縦幅が７００ｍｍの金属板あるいは樹脂性シートを用いている。なお、本体５における第１表示部１０、第２表示部２０、第３表示部３０及び第４表示部４０の背景色は、黄色に設定されている。
【００２５】
第１表示部１０は、本体５の近傍にあるボタンが非常停止ボタンであることを、図柄を用いて案内表示するものであり、下地が白色の矩形領域１０ａ内に、文字表示部１２と、第１ピクトグラム１４と、第２ピクトグラム１６と、枠体表示部１８と、を備えている。
【００２６】
第１表示部１０の大きさ、言い換えれば矩形領域１０ａの大きさは、横幅２００ｍｍ以上３００ｍｍ以下、縦幅２００ｍｍ以上３００ｍｍ以下に設定されている。本実施形態においては、横幅及び縦幅が２５０ｍｍの正方形領域である。
文字表示部１２は、「ＳＴＯＰ」という文字を表示している。
第１ピクトグラム１４は、線路上の電車を図柄化したものであり、第２ピクトグラム１６は、押しボタンを指で押下する態様を図柄化したものである。つまり、第２ピクトグラム１６の押しボタンが非常停止ボタン１００に対応することになる。
【００２７】
枠体表示部１８は、矩形領域１０ａの外周部に形成された正方形の枠体からなる。ここで、枠体表示部１８の一辺は矩形領域１０ａの一辺よりも若干短く設定されているため、枠体表示部１８の外側に白線による正方形が形成される。
【００２８】
枠体表示部１８の内部の上方に、文字表示部１２が配置されている。枠体表示部１８の内部における文字表示部１２の下方に第１ピクトグラム１４と、第２ピクトグラム１６とが横幅方向に並べて配置されている。文字表示部１２、第１ピクトグラム１４及び第２ピクトグラム１６は黒色であり、枠体表示部１８は赤色と白色の斜線からなるストライプ状である。
【００２９】
第２表示部２０は、本体５の近傍にあるボタンが非常停止ボタンであることを、複数の言語によって文字表示するものであり、日本語で「非常停止ボタン」と表示される日本語文字表示部２２と、英語で表示される英語文字表示部２４と、韓国語で表示される韓国語文字表示部２６と、中国語で表示される中国語文字表示部２８とを有している。第２表示部２０の文字は黒色であり、本体５の黄色の背景色上に表示される。
【００３０】
日本語文字表示部２２の表示領域は、縦幅が４０ｍｍ以上７０ｍｍ以下に設定されている。本実施形態によれば、縦幅が５０ｍｍに設定されている。
英語文字表示部２４の表示領域には２行に渡る文字列が表示され、１行当たりの縦幅が２０ｍｍ以上４０ｍｍ以下に設定されている。本実施形態によれば、１行当たりの縦幅が３０ｍｍに設定されている。
韓国語文字表示部２６及び中国語文字表示部２８の表示領域は、縦幅が２０ｍｍ以上４０ｍｍ以下に設定されている。本実施形態によれば、縦幅が３０ｍｍに設定されている。
【００３１】
なお、日本語文字表示部２２、英語文字表示部２４、韓国語文字表示部２６及び中国語文字表示部２８の表示領域は、横幅が共通して２５０ｍｍ以上３５０ｍｍ以下に設定されている。本実施形態によれば、横幅が３００ｍｍに設定されている。
【００３２】
第３表示部３０は、第１表示部１０の矩形領域１０ａの下地色（白色）及び本体５の背景色（黄色）とは異なる色の矩形形状の文字強調領域３２を有し、この文字強調領域３２に、非常停止ボタンの機能を説明する文字列を表示したものである。本実施形態によれば、文字強調領域３２は朱色に近い赤色であり、文字は白色であり、文字強調領域３２に「緊急時に押すと電車がとまります」という文字列が３行に渡って表示される。
【００３３】
また、本実施形態によれば、第１表示部１０、第２表示部２０及び第３表示部３０に含まれる文字の書体はゴシック体である。
【００３４】
第４表示部４０は、黒色の矢印表示である。本実施形態によれば、斜め方向に延びる矢印であり、矢印の先端が本体５の左隅に向かっている。
【００３５】
このように構成された非常停止ボタン案内表示体１が駅の利用者に視認された場合、第１表示部１０が一番大きいことから、文字表示部１２、第１ピクトグラム１４、第２ピクトグラム１６が駅の利用者の目に留まり易くなる。そして、駅の利用者は、第１表示部１０を視認することにより、「ボタンを押す」、「電車」、「ＳＴＯＰ」がキーワードであることが認識できる。これにより、駅の利用者は、非常停止ボタン案内表示体１近傍の非常停止ボタン１００は、電車を停止させるためのボタンであると類推することが容易に可能になる。
【００３６】
また、文字表示部１２、第１ピクトグラム１４、第２ピクトグラム１６が、斜線からなる枠体表示部１８によって囲まれているため、駅の利用者には、文字表示部１２、第１ピクトグラム１４、第２ピクトグラム１６及び枠体表示部１８が一つのまとまりとして視認される。ここで、枠体表示部１８は斜線からなることから、非常停止ボタン１００は、むやみに押してはいけないボタンであるという意識を、駅の利用者に持たせることが可能になる。これにより、外国人旅行者のように日本語があまり分からない駅の利用者であっても、第１表示部１０を視認することにより、非常停止ボタン案内表示体１近傍の非常停止ボタン１００は、電車を停止させるためのボタンであって、緊急時以外は押してはいけないボタンである、ということを類推させることができるようになる。
【００３７】
また、駅の利用者は、第２表示部２０を視認することにより、少なくとも、日本語、英語、韓国語及び中国語のいずれかが分かる駅の利用者であれば、非常停止ボタン案内表示体１の近傍のボタンが非常停止ボタン１００であることを確認することができる。
【００３８】
非常停止ボタンは、駅によって異なるが、多くの駅の利用者が押下できるように比較的低い位置に設置されている場合が多いことから、非常停止ボタン案内表示体は、非常停止ボタンの直上に配置される場合が多い。
【００３９】
本実施形態の非常停止ボタン案内表示体１が非常停止ボタン１００の直上に配置された場合には、第３表示部３０が非常停止ボタン１００に最も近く配置されることになる。ここで、第３表示部３０は、周囲が赤色で囲まれている黄銅色の文字強調領域３２を有しており、この文字強調領域３２に非常停止ボタンの機能を説明する文字列を表示しているため、非常停止ボタン案内表示体１全体において比較的目立っている。
【００４０】
このため、文字強調領域３２が比較的目立っていることから、駅の利用者の視線が文字強調領域３２に向くようになり、駅の利用者が非常停止ボタン１００を見つけ易くなる。しかも、第４表示部４０の矢印表示が非常停止ボタンを向くように本実施形態の非常停止ボタン案内表示体１を配置することにより、駅の利用者が非常停止ボタン１００をより見つけ易くなる。
【００４１】
ところで、非常停止ボタン案内表示体１は、上述したように、背景色が黄色、第１表示部１０における文字表示部１２、第１ピクトグラム１４及び第２ピクトグラム１６は黒色であり、枠体表示部１８は赤色と白色の斜線からなるストライプ状である。第２表示部２０の文字列及び第４表示部４０の矢印は黒色であり、第３表示部３０における文字強調領域３２は朱色に近い赤色であり、文字は白色であるが、非常停止ボタン案内表示体１は上述した配色に限るものではない。例えば、次に記載する変形例１及び変形例２のように構成することも可能である。
【００４２】
変形例１は、本実施形態の非常停止ボタン案内表示体１における本体５の背景色を白色とし、第１表示部１０における文字表示部１２、第１ピクトグラム１４及び第２ピクトグラム１６を赤色としたものである。
【００４３】
変形例２は、本実施形態の非常停止ボタン案内表示体１における本体５の背景色を赤色とし、第１表示部１０における文字表示部１２、第１ピクトグラム１４及び第２ピクトグラム１６を赤色とし、第２表示部２０の文字列及び第４表示部４０の矢印を白色とし、第３表示部３における文字強調領域３２を黄色、文字を黒色としたものである。
【００４４】
表１は、本実施形態の非常停止ボタン案内表示体１及び変形例１、２における、健常者に対しての視認性、明度差による表示の視認性、及び色覚異常を想定した色彩による表示の視認性、色彩の判別性について実際にシミュレーションした結果を示す。
【表１】
0003200208.tif 000003
【００４５】
表１に示すように、本実施形態の非常停止ボタン案内表示体１は、健常者に対しての視認性が高く、明度差による表示の視認性が高く、色彩による表示の視認性、判別性も高いことが分かった。
このように、本実施形態の非常停止ボタン案内表示体１は、明度及び色彩による表示内容の視認性は十分に確保されている。また、色覚異常の者は、赤が深い緑に見える傾向にあることから赤と緑の識別が難しいが、黄色については識別可能な傾向にある。非常停止ボタン案内表示体１によれば、色彩については表示全般に使われている黄色の判別性が高いことから、多種のサインが混在する駅のホーム上での視認性も高いと考えられる。
【００４６】
変形例１は、健常者に対しての視認性や色彩の判別性についてはやや低いものの、明度差による表示の視認性は高く、色彩による表示の視認性は確保されている。
このように、変形例１は、明度及び色彩による表示内容の視認性は文字及び矢印部分についてかなり高いため、概ね視認性が確保されていると言いうる。しかし、色彩については、表示全体が白基調のため、駅ホームでの他のサインに紛れて緊急時に視認し難いことも考えられる。したがって、変形例１の場合には配置場所を考慮する必要がある。
【００４７】
変形例２は、健常者に対しての視認性が高く、明度差による表示の視認性及び色彩による表示の視認性は確保されているが、色彩の判別性が低いことが分かった。
このように、変形例２は、明度及び色彩による表示内容の視認性は確保されているため、概ね視認性が確保されていると言いうる。しかし、本実施形態や変形例１に比較すると視認性は低く感じられる。色彩については、赤色の判別性が低いため、駅のホーム上に視認性に不安点が残る。したがって、変形例２の場合にも配置場所を考慮する必要がある。
【００４８】
以上の結果から、本実施形態の非常停止ボタン案内表示体１及び変形例１、２は、概ね、駅のホーム上での視認性が高いと考えられ、非常停止ボタンの案内表示に適している。特に、本実施形態の非常停止ボタン案内表示体１の配色が推奨される。
【００４９】
以上、本考案の実施形態について説明したが、本考案の実施形態は、上述した実施形態に限るものではない。例えば、上述した実施形態においては、第４表示部４０を備えているが、非常停止ボタン１００が分かり易い配置である場合には、図３に示すように、第４表示部４０を削除することが可能である。
【符号の説明】
【００５０】
１  非常停止ボタン案内表示体
５  本体
１０  第１表示部
１０ａ  矩形領域
１２  文字表示部
１４  第１ピクトグラム
１６  第２ピクトグラム
１８  枠体表示部
２０  第２表示部
２２  日本語文字表示部
２４  英語文字表示部
２６  韓国語文字表示部
２８  中国語文字表示部
３０  第３表示部
３２  文字強調領域
１００  非常停止ボタン
【図１】
0003200208.tif 000004
【図２】
0003200208.tif 000005
【図３】
0003200208.tif 000006